(57)【要約】【課題】信号波形における所望の位置に指定表示を短時間で容易に表示させる。【解決手段】信号波形Ｗ１，Ｗ２およびカーソル表示２１を波形表示画面２０内に表示させている状態において、ポインティングデバイスによってカーソル表示２１上の任意の一点を始点とするドラッグ操作が行なわれたときに、ドラッグ操作における矢印ＡＬ，ＡＲの方向に沿った第１の操作成分の向きおよび大きさに応じて信号波形Ｗ１，Ｗ２に対してカーソル表示２１を矢印ＡＬ，ＡＲの方向に沿って移動させると共に、信号波形Ｗ１，Ｗ２においてカーソル表示２１によって指定されている部位を波形表示画面２０内に表示させた状態を維持しつつドラッグ操作における矢印ＢＵ，ＢＤの方向に沿った第２の操作成分の向きおよび大きさに応じて信号波形Ｗ１，Ｗ２の表示倍率を変更する。【選択図】図２
2019039691.tif 000002
【特許請求の範囲】
【請求項１】
波形データにおける第１のパラメータを波形表示画面における第１の方向に対応させ、かつ当該波形データにおける第２のパラメータを当該波形表示画面における当該第１の方向と交差する第２の方向に対応させて当該波形データに基づく信号波形を当該波形表示画面に表示させると共に、前記信号波形において前記第１のパラメータが任意のパラメータ値の部位を指定するための指定表示を当該信号波形と共に当該波形表示画面に表示させる処理部を備えた波形表示装置であって、
前記信号波形および前記指定表示のいずれか一方に対する他方の前記第１の方向に沿った移動の操作、並びに当該信号波形の少なくとも当該第１の方向における表示倍率の変更の操作が可能なポインティングデバイスを備え、
前記処理部は、前記信号波形および前記指定表示を前記波形表示画面内に表示させている状態において、前記ポインティングデバイスによって当該指定表示上の任意の一点を始点とするドラッグ操作が行なわれたときに、当該ドラッグ操作における前記第１の方向に沿った第１の操作成分の向きおよび大きさに応じて前記一方に対して前記他方を当該第１の方向に沿って移動させると共に、前記信号波形において前記指定表示によって指定されている前記任意のパラメータ値の部位を前記波形表示画面内に表示させた状態を維持しつつ前記ドラッグ操作における前記第２の方向に沿った第２の操作成分の向きおよび大きさに応じて当該信号波形の表示倍率を変更する波形表示装置。
【請求項２】
前記処理部は、前記ドラッグ操作の開始から終了まで前記第１の方向への前記ポインティングデバイスの操作量当りの前記波形表示画面内における当該第１の方向への前記指定表示の移動量を一定に維持する請求項１記載の波形表示装置。
【請求項３】
前記処理部は、前記ドラッグ操作の終了時に、当該ドラッグ操作の開始以前の表示倍率で前記信号波形を表示させる請求項１または２記載の波形表示装置。
【請求項４】
前記処理部は、前記第１の操作成分の大きさと前記第２の操作成分の大きさとの成分比が予め規定されたしきい値を下回っているときに前記信号波形の表示倍率を変更せずに、当該成分比が当該しきい値以上のときに当該第２の操作成分の向きおよび大きさに応じて当該信号波形の表示倍率を変更する請求項１から３のいずれかに記載の波形表示装置。
【請求項５】
波形データにおける第１のパラメータを波形表示画面における第１の方向に対応させ、かつ当該波形データにおける第２のパラメータを当該波形表示画面における当該第１の方向と交差する第２の方向に対応させて当該波形データに基づく信号波形を当該波形表示画面に表示させると共に、前記信号波形において前記第１のパラメータが任意のパラメータ値の部位を指定するための指定表示を当該信号波形と共に当該波形表示画面に表示させる処理を波形表示装置の処理部に実行させる波形表示用プログラムであって、
前記信号波形および前記指定表示を前記波形表示画面内に表示させている状態において、当該信号波形および当該指定表示のいずれか一方に対する他方の前記第１の方向に沿った移動の操作、並びに当該信号波形の少なくとも当該第１の方向における表示倍率の変更の操作が可能なポインティングデバイスによって当該指定表示上の任意の一点を始点とするドラッグ操作が行なわれたときに、当該ドラッグ操作における前記第１の方向に沿った第１の操作成分の向きおよび大きさに応じて前記一方に対して前記他方を当該第１の方向に沿って移動させると共に、前記信号波形において前記指定表示によって指定されている前記任意のパラメータ値の部位を前記波形表示画面内に表示させた状態を維持しつつ前記ドラッグ操作における前記第２の方向に沿った第２の操作成分の向きおよび大きさに応じて当該信号波形の表示倍率を変更する処理を前記処理部に実行させる波形表示用プログラム。
【発明の詳細な説明】
【技術分野】
【０００１】
本発明は、波形データに基づく信号波形と共に信号波形における任意の部位を指定するための指定表示を波形表示画面に表示させる処理部を備えた波形表示装置、および、そのような処理を波形表示装置の処理部に実行させる波形表示用プログラムに関するものである。
【背景技術】
【０００２】
この種の波形表示装置および波形表示用プログラムとして、出願人は、下記の特許文献に波形記録計およびその動作プログラムを開示している。この波形記録計は、波形データを生成するＡ／Ｄ変換部、生成された波形データを記憶するストレージメモリ、システムプログラム（動作プログラム）などが格納された本体メモリ、システムプログラムに従って波形記録計を総括的に制御するＣＰＵ（処理部）、およびＣＰＵの制御に従って波形データに基づく信号波形を表示するＣＲＴ（表示部）を備えている。
【０００３】
この場合、この種の波形記録計（波形表示装置）では、信号波形においてカーソル表示によって指定されている部位の測定値や測定時刻（または、測定開始からの経過時間）などを信号波形と共に数値で表示させることができるように構成されている。したがって、出願人が開示している形記録計においても、信号波形における任意の部位を指定するためのカーソル表示（ラインカーソル）を信号波形と共にＣＲＴに表示させることが可能に構成されている。
【０００４】
また、この種の波形記録計（波形表示装置）では、カーソル表示によって指定する上記の任意の部位を変更するときに、カーソル移動操作を行ってカーソル表示を移動させることで信号波形に対するカーソル表示の位置を直接的に変更したり、波形スクロール操作を行って信号波形をスクロールさせることでカーソル表示に対する信号波形の位置を変更して信号波形に対するカーソル表示の位置を相対的に変更したりすることができるように構成されている。
【０００５】
これにより、ＣＲＴに表示される信号波形に特異点が存在するときに、その特異点にカーソル表示を合わせるようにしてカーソル移動操作または波形スクロール操作を行うことにより、その特異点の測定値や測定時刻（経過時間）などを信号波形と共に数値で表示させることが可能となっている。
【先行技術文献】
【特許文献】
【０００６】
【特許文献１】特開平５−５７５４号公報（第２−３頁、第１−５図）
【発明の概要】
【発明が解決しようとする課題】
【０００７】
ところが、出願人が開示している波形記録計を含む従来の波形表示装置には、以下のような改善すべき課題が存在する。具体的には、従来の波形表示装置では、カーソル移動操作または波形スクロール操作を行って信号波形の特異点にカーソル表示を合わせる（特異点の位置にカーソル表示を表示させる）ことにより、その特異点についての測定値や測定時刻（経過時間）などを信号波形と共に数値で表示させることができるように構成されている。
【０００８】
この場合、従来の波形表示装置では、ジョグダイヤルやシャトルダイヤルの回動操作、および移動キーやスクロールキーの押圧操作によってカーソル表示を移動させたり信号波形をスクロールさせたりする構成が採用されている。また、近年では、マウス、タッチパッドおよびタッチパネルなどに対するドラッグ操作によって、カーソル表示を移動させたり信号波形をスクロールさせたりすることが可能な波形表示装置も存在する。
【０００９】
しかしながら、上記のいずれの構成においても、例えば、短い周期で信号レベルが大きく変動するような信号波形を表示させたときに、設定されている表示倍率によっては、信号波形の線が画面内に密集した状態となり、カーソル表示を合わせるべき特異点を特定するのが困難となることがある。
【００１０】
また、特異点の特定が容易な信号波形を表示させている状態であっても、設定されている表示倍率によっては、信号波形における任意の特異点をカーソル表示によって正確に指定した状態となっているか否かの特定が困難となることがある。このため、特異点から僅かにずれた位置にカーソル表示が表示されて特異点とは異なる部位についての測定値や測定時刻（経過時間）などが表示されてしまうおそれがある。
【００１１】
さらに、設定されている表示倍率によっては、カーソル表示の位置と特異点の位置との間の距離が長い状態となり、特異点の位置にカーソル表示が表示された状態とするために、カーソル表示を大きく移動させたり信号波形を大きくスクロールさせたりする必要が生じる。また、上記の距離がさらに長い状態では、特異点が表示画面内に存在しない状態（信号波形において表示画面に表示されていない部位に特異点が存在する状態）となることもある。
【００１２】
したがって、この種の波形表示装置において信号波形の任意の特異点にカーソル表示を合わせるときには、カーソル移動操作または波形スクロール操作に先立ち、特異点を容易に特定でき、かつ特定した特異点をカーソル表示によって正確に指定した状態となっているか否かを特定できると共に、カーソル表示を大きく移動させたり信号波形を大きくスクロールさせたりすることなく、特異点にカーソル表示を合わせることが可能な表示倍率で信号波形を表示させておく必要がある。
【００１３】
このため、この種の波形表示装置では、信号波形およびカーソル表示の表示、表示倍率の変更（拡大／縮小）、特異点に対するカーソル表示の位置合わせ、並びに表示倍率の復元（縮小／拡大）をこの順で実行する必要がある。したがって、これらの作業が煩雑であると共に、信号波形における任意の特異点をカーソル表示によって指定するのに要する時間が長くなっており、この点を改善するのが好ましい。
【００１４】
本発明は、かかる課題に鑑みてなされたものであり、信号波形における任意の部位を指定するための指定表示を信号波形における所望の位置に短時間で容易に表示させ得る波形表示装置および波形表示用プログラムを提供することを主目的とする。
【課題を解決するための手段】
【００１５】
上記目的を達成すべく、請求項１記載の波形表示装置は、波形データにおける第１のパラメータを波形表示画面における第１の方向に対応させ、かつ当該波形データにおける第２のパラメータを当該波形表示画面における当該第１の方向と交差する第２の方向に対応させて当該波形データに基づく信号波形を当該波形表示画面に表示させると共に、前記信号波形において前記第１のパラメータが任意のパラメータ値の部位を指定するための指定表示を当該信号波形と共に当該波形表示画面に表示させる処理部を備えた波形表示装置であって、前記信号波形および前記指定表示のいずれか一方に対する他方の前記第１の方向に沿った移動の操作、並びに当該信号波形の少なくとも当該第１の方向における表示倍率の変更の操作が可能なポインティングデバイスを備え、前記処理部は、前記信号波形および前記指定表示を前記波形表示画面内に表示させている状態において、前記ポインティングデバイスによって当該指定表示上の任意の一点を始点とするドラッグ操作が行なわれたときに、当該ドラッグ操作における前記第１の方向に沿った第１の操作成分の向きおよび大きさに応じて前記一方に対して前記他方を当該第１の方向に沿って移動させると共に、前記信号波形において前記指定表示によって指定されている前記任意のパラメータ値の部位を前記波形表示画面内に表示させた状態を維持しつつ前記ドラッグ操作における前記第２の方向に沿った第２の操作成分の向きおよび大きさに応じて当該信号波形の表示倍率を変更する。
【００１６】
また、請求項２記載の波形表示装置は、請求項１記載の波形表示装置において、前記処理部は、前記ドラッグ操作の開始から終了まで前記第１の方向への前記ポインティングデバイスの操作量当りの前記波形表示画面内における当該第１の方向への前記指定表示の移動量を一定に維持する。
【００１７】
また、請求項３記載の波形表示装置は、請求項１または２記載の波形表示装置において、前記処理部は、前記ドラッグ操作の終了時に、当該ドラッグ操作の開始以前の表示倍率で前記信号波形を表示させる。
【００１８】
また、請求項４記載の波形表示装置は、請求項１から３のいずれかに記載の波形表示装置において、前記処理部は、前記第１の操作成分の大きさと前記第２の操作成分の大きさとの成分比が予め規定されたしきい値を下回っているときに前記信号波形の表示倍率を変更せずに、当該成分比が当該しきい値以上のときに当該第２の操作成分の向きおよび大きさに応じて当該信号波形の表示倍率を変更する。
【００１９】
また、請求項５記載の波形表示用プログラムは、波形データにおける第１のパラメータを波形表示画面における第１の方向に対応させ、かつ当該波形データにおける第２のパラメータを当該波形表示画面における当該第１の方向と交差する第２の方向に対応させて当該波形データに基づく信号波形を当該波形表示画面に表示させると共に、前記信号波形において前記第１のパラメータが任意のパラメータ値の部位を指定するための指定表示を当該信号波形と共に当該波形表示画面に表示させる処理を波形表示装置の処理部に実行させる波形表示用プログラムであって、前記信号波形および前記指定表示を前記波形表示画面内に表示させている状態において、当該信号波形および当該指定表示のいずれか一方に対する他方の前記第１の方向に沿った移動の操作、並びに当該信号波形の少なくとも当該第１の方向における表示倍率の変更の操作が可能なポインティングデバイスによって当該指定表示上の任意の一点を始点とするドラッグ操作が行なわれたときに、当該ドラッグ操作における前記第１の方向に沿った第１の操作成分の向きおよび大きさに応じて前記一方に対して前記他方を当該第１の方向に沿って移動させると共に、前記信号波形において前記指定表示によって指定されている前記任意のパラメータ値の部位を前記波形表示画面内に表示させた状態を維持しつつ前記ドラッグ操作における前記第２の方向に沿った第２の操作成分の向きおよび大きさに応じて当該信号波形の表示倍率を変更する処理を前記処理部に実行させる。
【発明の効果】
【００２０】
請求項１記載の波形表示装置では、処理部が、信号波形および指定表示を波形表示画面内に表示させている状態において、ポインティングデバイスによって指定表示上の任意の一点を始点とするドラッグ操作が行なわれたときに、ドラッグ操作における第１の方向に沿った第１の操作成分の向きおよび大きさに応じて一方に対して他方を第１の方向に沿って移動させると共に、信号波形において指定表示によって指定されている任意のパラメータ値の部位を波形表示画面内に表示させた状態を維持しつつドラッグ操作における第２の方向に沿った第２の操作成分の向きおよび大きさに応じて信号波形の表示倍率を変更する。また、請求項５記載の波形表示用プログラムでは、上記の処理を波形表示装置の処理部に実行させる。
【００２１】
したがって、請求項１記載の波形表示装置、および請求項５記載の波形表示用プログラムによれば、波形表示画面に表示されている信号波形における任意のパラメータ値の部位（特異点）の視認が困難なときや、信号波形の表示倍率が大き過ぎて波形表示画面内に特異点が表示されていないときなどに、そのような特異点に向けての指定表示の移動と、信号波形の表示倍率を変更する操作とを１つのドラッグ操作によって同時に行うことができる。したがって、信号波形における任意のパラメータ値の部位（特異点）に指定表示を短時間で容易に表示させることができる。
【００２２】
請求項２記載の波形表示装置、およびその処理部に信号波形および指定表示を表示させる処理を実行させる波形表示用プログラムによれば、ドラッグ操作の開始から終了まで第１の方向へのポインティングデバイスの操作量当りの波形表示画面内における第１の方向への指定表示の移動量を一定に維持することにより、信号波形の表示倍率が大きいときほどポインティングデバイスの操作量当りの指定表示の移動量が増加したり、信号波形の表示倍率が小さいときほどポインティングデバイスの操作量当りの指定表示の移動量が減少したりする構成および処理方法とは異なり、信号波形の表示倍率とは無関係に、指定表示を移動させたい分だけポインティングデバイスを操作することで指定表示を任意のパラメータ値の部位（特異点）に確実かつ容易に移動させることができる。これにより、信号波形が拡大表示された状態で指定表示の位置を微調整するのが困難な状態となったり、信号波形が縮小表示された状態で指定表示をある程度の距離に亘って移動させるためにポインティングデバイスの操作量（またはドラッグ操作の回数）を増加させたりすることなく、任意のパラメータ値の部位（特異点）に指定表示を確実に移動させることができる。
【００２３】
請求項３記載の波形表示装置、およびその処理部に信号波形および指定表示を表示させる処理を実行させる波形表示用プログラムによれば、ドラッグ操作の終了時に、ドラッグ操作の開始以前の表示倍率で信号波形を表示させることにより、任意のパラメータ値の部位（特異点）に指定表示を合わせる際に信号波形の表示倍率を変更したとしても、表示倍率を元に戻す操作を行うことなく、操作前の表示倍率に復元することができる。
【００２４】
請求項４記載の波形表示装置、およびその処理部に信号波形および指定表示を表示させる処理を実行させる波形表示用プログラムによれば、第１の操作成分の大きさと第２の操作成分の大きさとの成分比が予め規定されたしきい値を下回っているときに信号波形の表示倍率を変更せずに、成分比がしきい値以上のときに第２の操作成分の大きさおよび向きに応じて信号波形の表示倍率を変更することにより、信号波形の表示倍率の変更だけを行うためのドラッグ操作時に第１の操作成分が僅かに存在する斜め方向へのドラッグ操作を行っても、指定表示を移動させることなく、信号波形の表示倍率を変更することができる。
【図面の簡単な説明】
【００２５】
【図１】測定システム１００の構成を示す構成図である。
【図２】波形表示画面２０の一例を示す表示画面図である。
【図３】矢印Ｃの向きへのドラッグ操作と操作成分Ａ０１，Ｂ０１との関係について説明するための説明図である。
【図４】ドラッグ操作中の波形表示画面２０の一例を示す表示画面図である。
【図５】ドラッグ操作中の波形表示画面２０の他の一例を示す表示画面図である。
【図６】ドラッグ操作中の波形表示画面２０のさらに他の一例を示す表示画面図である。
【図７】ドラッグ操作を完了した状態の波形表示画面２０の一例を示す表示画面図である。
【図８】ドラッグ操作中の波形表示画面２０のさらに他の一例を示す表示画面図である。
【図９】波形表示画面２０の他の一例を示す表示画面図である。
【図１０】ドラッグ操作中の波形表示画面２０の他の一例を示す表示画面図である。
【図１１】ドラッグ操作中の波形表示画面２０のさらに他の一例を示す表示画面図である。
【図１２】ドラッグ操作を完了した状態の波形表示画面２０の他の一例を示す表示画面図である。
【図１３】波形表示画面２０のさらに他の一例を示す表示画面図である。
【図１４】矢印Ｃの向きへのドラッグ操作と操作成分Ａ０２，Ｂ０２との関係について説明するための説明図である。
【図１５】ドラッグ操作中の波形表示画面２０のさらに他の一例を示す表示画面図である。
【図１６】ドラッグ操作を完了した状態の波形表示画面２０のさらに他の一例を示す表示画面図である。
【図１７】測定装置２００の構成を示す構成図である。
【発明を実施するための形態】
【００２６】
以下、波形表示装置および波形表示用プログラムの実施の形態について、添付図面を参照して説明する。
【００２７】
図１に示す測定システム１００は、測定装置１および波形表示装置２を備え、測定対象についての測定処理、および測定結果に基づく信号波形の表示処理を実行することができるように構成されている。
【００２８】
測定装置１は、予め規定された被測定量（一例として、入力信号についての電流値、電圧値、抵抗値および位相などの電気的パラメータ）を測定して測定値データＤｗ（「波形データ」の一例）を生成する測定処理を実行し、生成した測定値データＤｗを波形表示装置２に送信することができるように構成されている。この場合、本例の測定装置１では、一例として、ブルートゥース（Bluetooth ：登録商標）規格などの近距離無線通信規格に準ずる無線通信が可能な通信アダプタで構成された通信部を備え、各種の制御信号や測定値データＤｗを無線通信によって送受信することができるように構成されている。
【００２９】
波形表示装置２は、「波形表示装置」に相当し、一例として、「波形表示用プログラム」に相当するプログラムデータＤｐがインストールされたタブレット端末、スマートフォン、またはパーソナルコンピュータなどで構成されている。具体的には、この波形表示装置２は、通信部１１、操作部１２、表示部１３、処理部１４および記憶部１５を備えている。
【００３０】
なお、本例では、一例として、タブレット端末で波形表示装置２が構成されているものとして説明するが、「波形表示装置」の構成、および「波形表示用プログラム」の処理手順についての理解を容易とするために、タブレット端末における上記の各構成要素１１〜１５以外の構成要素についての図示および説明を省略する。通信部１１は、前述した測定装置１の通信部と同様にしてブルートゥース等の近距離無線通信規格に準ずる無線通信が可能な通信アダプタで構成されている。この通信部１１は、後述するように、処理部１４の制御に従い、測定装置１などの各種無線通信機器との間で各種のデータを送受信する。
【００３１】
操作部１２は、「移動の操作および変更の操作が可能なポインティングデバイス」の一例であるタッチパネルや、電源スイッチ、ボリュームスイッチ等の各種操作スイッチを備え、これらに対する操作に応じた操作信号を処理部１４に出力する。この場合、本例の波形表示装置２では、マウス、トラックボールおよびタッチパッドなどの外部装置で構成されたポインティングデバイス（図示せず）を接続することにより、それらのポインティングデバイスによって各種の操作を行うことが可能に構成されている。表示部１３は、後述するように、処理部１４の制御に従って波形表示画面２０（「波形表示画面」の一例：図２，４〜１３，１５，１６参照）などの各種表示画面を表示する。
【００３２】
処理部１４は、「処理部」の一例であって、波形表示装置２を総括的に制御する。具体的には、処理部１４は、プログラムデータＤｐに従い、通信部１１を介して測定装置１を制御して測定処理を実行させると共に、測定装置１から送信された測定値データＤｗが通信部１１によって受信されたときに、その測定値データＤｗを記憶部１５に記憶させる。また、処理部１４は、プログラムデータＤｐに従い、波形表示画面２０を表示部１３に表示させて、測定値データＤｗに基づく信号波形Ｗ１，Ｗ２・・や、信号波形Ｗ１，Ｗ２・・上の任意の部位を指定するカーソル表示２１，２１ａ（「指定表示」の一例）を表示させる。
【００３３】
記憶部１５は、波形表示装置２をタブレット端末として動作させるためのシステムプログラム、「波形表示用プログラム」に相当するプログラムデータＤｐ、および測定装置１から送信された測定値データＤｗなどを記憶する。
【００３４】
次に、測定システム１００（波形表示装置２：プログラムデータＤｐ）による信号波形Ｗ１，Ｗ２・・の表示処理について、添付図面を参照して説明する。なお、波形表示装置２へのプログラムデータＤｐのインストール、および測定装置１の通信部と波形表示装置２の通信部１１との間におけるブルートゥースのペアリングなどについては既に完了しているものとする。
【００３５】
まず、測定装置１を測定対象に接続すると共に、波形表示装置２の操作部１２を操作してプログラムデータＤｐを起動させる。次いで、操作部１２を操作して図示しない測定処理画面を表示部１３に表示させ、測定装置１による測定処理を開始させる操作を行う。この際に、処理部１４は、測定開始を指示する制御信号を通信部１１から測定装置１に送信させ、これに応じて、測定装置１では、測定処理を実行して測定値データＤｗを生成する。また、測定装置１は、生成した測定値データＤｗを測定装置１に送信し、波形表示装置２では、測定装置１から送信された測定値データＤｗが通信部１１によって受信されたときに、処理部１４が、その測定値データＤｗを記憶部１５に記憶させる。
【００３６】
一方、測定装置１による測定処理が完了して所定時間分の測定値データＤｗが記憶部１５に記憶されたときには、波形表示装置２の操作部１２を操作することにより、図２に示すように、波形表示画面２０を表示部１３に表示させる。この波形表示画面２０には、測定値データＤｗに基づく信号波形Ｗ１，Ｗ２と共に、両信号波形Ｗ１，Ｗ２における任意の部位を指定するカーソル表示２１が表示される。
【００３７】
この場合、図２、および後に参照する図４〜１２に示す波形表示画面２０では、「第１のパラメータ」の一例である「測定時刻（経過時間）」を「第１の方向」の一例である矢印ＡＬ，ＡＲの方向に対応させ、かつ「第２のパラメータ」の一例である「信号レベル」を「第１の方向」と交差する（直交する）「第２の方向」の一例である矢印ＢＵ，ＢＤの方向に対応させて、測定値データＤｗに基づく信号波形Ｗ１，Ｗ２などを表示させることができる画面構成が採用されている。
【００３８】
また、カーソル表示２１は、信号波形Ｗ１，Ｗ２などの「信号波形」における時間軸方向（矢印ＡＬ，ＡＲの方向）における任意の一点（「任意のパラメータ値」の一例である「任意の測定時刻」の部位）を指定するための指標として機能する表示（時間軸カーソル表示）であって、本例の波形表示装置２（プログラムデータＤｐ）では、表示部１３に波形表示画面２０を表示させた時点において、同図に示すように、波形表示画面２０における時間軸方向の中心部にカーソル表示２１が表示される。
【００３９】
なお、本例の波形表示装置２（プログラムデータＤｐ）では、信号波形Ｗ１，Ｗ２が「信号波形および指定表示のいずれか一方」に相当すると共に、カーソル表示２１が「信号波形および指定表示の他方」に相当し、信号波形Ｗ１，Ｗ２に対してカーソル表示２１を移動させることで信号波形Ｗ１，Ｗ２における時間軸方向の任意の一点をカーソル表示２１によって指定する構成が採用されている。
【００４０】
この場合、例えば、両信号波形Ｗ１，Ｗ２がそれぞれゼロクロスした時点を「特異点」として、その「特異点」の測定時刻（経過時間）を特定したいときには、交差位置Ｐｘにカーソル表示２１を合わせる必要がある。しかしながら、同図に示す波形表示画面２０の例のように、短い周期で信号レベルが大きく変動する信号波形Ｗ１，Ｗ２などを波形表示画面２０に表示させたときに、その時点において設定されている表示倍率によっては、信号波形Ｗ１，Ｗ２の線が画面内に密集した状態となり、カーソル表示２１を合わせるべき「特異点（本例では、交差位置Ｐｘ）」を特定すること自体が困難となる。
【００４１】
したがって、本例の波形表示装置２（プログラムデータＤｐ）では、例えば信号波形Ｗ１，Ｗ２の時間軸方向における任意の一点をカーソル表示２１によって指定するためのカーソル表示２１の移動に際して、カーソル表示２１を移動させる「移動の操作」と、信号波形Ｗ１，Ｗ２の時間軸方向における表示倍率を任意に変更する「変更の操作」とを同時に行うことが可能に構成されている。これにより、交差位置Ｐｘを確実かつ容易に視認しながらカーソル表示２１を交差位置Ｐｘに向けて移動させることが可能となっている。
【００４２】
具体的には、図２に示すように、信号波形Ｗ１，Ｗ２およびカーソル表示２１が波形表示画面２０内に表示されている状態において、操作部１２（タッチパネル）によってカーソル表示２１上の任意の一点を始点とするドラッグ操作を行う。
【００４３】
この場合、本例の波形表示装置２（プログラムデータＤｐ）では、例えば、図３に示すように、カーソル表示２１上の位置Ｐ０を始点とする位置Ｐ１までの矢印Ｃの向きへのドラッグ操作が行なわれたときに、処理部１４が、矢印Ｃの向きへのドラッグ操作における「第１の方向」としての時間軸方向（矢印ＡＬ，ＡＲの方向）に沿った操作成分Ａ０１（「第１の操作成分」の一例）の向きおよび大きさを特定し、特定した向きおよび大きさに応じて信号波形Ｗ１，Ｗ２に対してカーソル表示２１を時間軸方向に移動させる。
【００４４】
具体的には、操作成分Ａ０１が矢印ＡＬの向きの成分のときには、信号波形Ｗ１，Ｗ２に対してカーソル表示２１を矢印ＡＬの向きに移動させると共に、操作成分Ａ０１が矢印ＡＲの向きの成分のときには、信号波形Ｗ１，Ｗ２に対してカーソル表示２１を矢印ＡＲの向きに移動させる。また、操作成分Ａ０１の大きさが小さいときには、信号波形Ｗ１，Ｗ２に対してカーソル表示２１を小さく移動させると共に、操作成分Ａ０１の大きさが大きいときには、信号波形Ｗ１，Ｗ２に対してカーソル表示２１を大きく移動させる。なお、同図に示す矢印Ｃの向きへのドラッグ操作の例では、操作成分Ａ０１が矢印ＡＲの向きの操作成分のため、処理部１４は、操作成分Ａ０１の大きさに応じた移動量だけ信号波形Ｗ１，Ｗ２に対してカーソル表示２１を矢印ＡＲの向きに移動させる。
【００４５】
また、処理部１４は、カーソル表示２１の移動と並行して、信号波形Ｗ１においてカーソル表示２１によって指定されている一点、および信号波形Ｗ２においてカーソル表示２１によって指定されている一点を波形表示画面２０内にそれぞれ表示させた状態を維持しつつ、矢印Ｃの向きへのドラッグ操作における「第２の方向」としての信号レベル軸方向（矢印ＢＵ，ＢＤの方向）に沿った操作成分Ｂ０１（「第２の操作成分」の一例）の向きおよび大きさを特定し、特定した向きおよび大きさに応じて信号波形Ｗ１，Ｗ２の時間軸方向における表示倍率を変更する。
【００４６】
具体的には、操作成分Ｂ０１が矢印ＢＵの向きの成分のときには、信号波形Ｗ１，Ｗ２を時間軸方向に沿って拡大（大きな表示倍率に変更）すると共に、操作成分Ｂ０１が矢印ＢＤの向きの成分のときには、信号波形Ｗ１，Ｗ２を時間軸方向に沿って縮小（小さな表示倍率に変更）する。また、操作成分Ｂ０１の大きさが小さいときには、信号波形Ｗ１，Ｗ２の表示倍率の変更量を小さくし、操作成分Ｂ０１の大きさが大きいときには、信号波形Ｗ１，Ｗ２の表示倍率の変更量を大きくする。なお、同図に示す矢印Ｃの向きへのドラッグ操作の例では、操作成分Ｂ０１が拡大方向に対応する矢印ＢＵの向きの操作成分のため、処理部１４は、操作成分Ｂ０１の大きさに応じた変更量で信号波形Ｗ１，Ｗ２を時間軸方向に沿って拡大する。
【００４７】
この場合、本例の波形表示装置２（プログラムデータＤｐ）では、上記のようなドラッグ操作が行なわれているときに、「第１の操作成分」の大きさと「第２の操作成分」の大きさとの「成分比」が「予め規定されたしきい値」を下回っているときに信号波形Ｗ１，Ｗ２の表示倍率を変更せず、「成分比」が「しきい値」以上のときに「第２の操作成分」の向きおよび大きさに応じて信号波形Ｗ１，Ｗ２の表示倍率を変更する構成および処理方法が採用されている。具体的には、一例として、上記の「成分比」が「１／３」を下回っているとき、すなわち、「第２の操作成分」の大きさが「第１の操作成分」の大きさの１／３を下回っているときには信号波形Ｗ１，Ｗ２の表示倍率を維持すると共に、「成分比」が「１／３」以上のとき、すなわち、「第２の操作成分」の大きさが「第１の操作成分」の大きさの１／３以上のときには信号波形Ｗ１，Ｗ２の表示倍率を変更する構成および処理方法が採用されている。
【００４８】
また、本例の波形表示装置２（プログラムデータＤｐ）では、上記のようなドラッグ操作が行なわれているときに、予め規定された周期（一例として、５０ｍｓ間隔の周期）で「第１の操作成分」および「第２の操作成分」をそれぞれ特定し、特定した両操作成分の向きおよび大きさに応じてカーソル表示２１の移動および信号波形Ｗ１，Ｗ２の表示倍率の変更を行う構成および処理方法が採用されている。
【００４９】
したがって、例えば、図２に示す波形表示画面２０の例のように信号波形Ｗ１，Ｗ２の線が密集した状態で、カーソル表示２１を合わせるべき交差位置Ｐｘの特定が困難なときには、まず、カーソル表示２１上の任意の一点を始点とする矢印ＢＵの向きへのドラッグ操作を開始する。
【００５０】
この際に、処理部１４は、矢印ＢＵの向きへのドラッグ操作における「第２の操作成分」の大きさおよび向きに応じて、図４に示すように、信号波形Ｗ１，Ｗ２を時間軸方向に沿って拡大する。これにより、図２に示す波形表示画面２０の状態よりも、信号波形Ｗ１，Ｗ２における交差位置Ｐｘを容易に特定することが可能な状態となる。なお、矢印ＢＵの向きへのドラッグ操作には「第１の操作成分」が存在しないため、処理部１４は、カーソル表示２１を移動させることなく、その表示位置を保持する。
【００５１】
また、矢印ＢＵの向きへのドラッグ操作を継続したときには、処理部１４が、そのドラッグ操作における「第２の操作成分」の向きおよび大きさに応じて、図５に示すように、信号波形Ｗ１，Ｗ２を時間軸方向に沿ってさらに拡大する。これにより、図４に示す波形表示画面２０の状態よりも、信号波形Ｗ１，Ｗ２における交差位置Ｐｘを一層容易に特定することが可能な状態となる。
【００５２】
さらに、同図に示すように信号波形Ｗ１，Ｗ２上の交差位置Ｐｘを確実かつ容易に特定することができる表示倍率まで拡大された状態となったときには、特定した交差位置Ｐｘに向けてカーソル表示２１を移動させる。具体的には、同図に示す例では、交差位置Ｐｘに対してカーソル表示２１が右側に位置した状態のため、上記の矢印ＢＵの向きへのドラッグ操作に続いて、タッパネル（操作部１２）から指を離すことなく、矢印ＡＬの向きにドラッグ操作を行う。
【００５３】
この際に、処理部１４は、矢印ＡＬの向きへのドラッグ操作における「第１の操作成分」の大きさおよび向きに応じて、信号波形Ｗ１，Ｗ２に対してカーソル表示２１を時間軸方向に沿って矢印ＡＬの向きに移動させる。なお、本例の波形表示装置２（プログラムデータＤｐ）では、前述したように、「第１の操作成分」の大きさと「第２の操作成分」の大きさとの「成分比」が「１／３」を下回っているときに信号波形Ｗ１，Ｗ２の表示倍率が変更されないため、矢印ＡＬの向きへのドラッグ操作時に、やや斜め方向に指が動いて僅かな「第２の操作成分」が生じたとしても、信号波形Ｗ１，Ｗ２の表示倍率が変更されずに同じ表示倍率で表示された状態が維持される。
【００５４】
これにより、図６に示すように、交差位置Ｐｘにカーソル表示２１を重ねた状態とすることができ、カーソル表示２１によって信号波形Ｗ１，Ｗ２の交差位置Ｐｘが指定された状態となる。したがって、カーソル表示２１による交差位置Ｐｘの指定が完了したと判断した利用者は、ドラッグ操作を終了し、タッチパネルから指を離す。この際に、処理部１４は、図７に示すように、カーソル表示２１によって交差位置Ｐｘが指定された状態を維持しつつ、上記のドラッグ操作の開始以前の表示倍率で信号波形Ｗ１，Ｗ２を表示させる。以上により、信号波形Ｗ１，Ｗ２における交差位置Ｐｘをカーソル表示２１によって指定する作業が完了し、信号波形Ｗ１，Ｗ２における交差位置Ｐｘの測定値や測定時刻（経過時間）が信号波形Ｗ１，Ｗ２と共に波形表示画面２０に表示される（図示せず）。
【００５５】
なお、本例の波形表示装置２（プログラムデータＤｐ）では、上記のようなドラッグ操作が行なわれている間、信号波形Ｗ１，Ｗ２の表示倍率がどのような表示倍率であっても、タッチパネルに触れている指の位置にカーソル表示２１が表示される構成および処理方法が採用されている。つまり、本例の波形表示装置２（プログラムデータＤｐ）では、ドラッグ操作の開始から終了まで、時間軸方向へのポインティングデバイスの操作量当りの波形表示画面２０内における時間軸方向へのカーソル表示２１の移動量が信号波形Ｗ１，Ｗ２の表示倍率によらず一定に維持される。
【００５６】
また、本例の波形表示装置２（プログラムデータＤｐ）では、タッチパネルに代えて、外部装置で構成されたポインティングデバイスによるドラッグ操作が行なわれたときにも、ドラッグ操作が行なわれている間、信号波形Ｗ１，Ｗ２の表示倍率がどのような表示倍率であっても、ポインティングデバイスの操作によって波形表示画面２０に表示されるポインター（図示せず）の表示位置にカーソル表示２１が表示される構成および処理方法が採用されている。つまり、外部装置のポインティングデバイスを使用したときにも、ドラッグ操作の開始から終了まで、時間軸方向へのポインティングデバイスの操作量当りの波形表示画面２０内における時間軸方向へのカーソル表示２１の移動量が信号波形Ｗ１，Ｗ２の表示倍率によらず一定に維持される。
【００５７】
この場合、本例の波形表示装置２（プログラムデータＤｐ）の構成および処理方法とは異なり、ドラッグ操作中に、時間軸方向へのポインティングデバイスの操作量当りの波形表示画面２０内における時間軸方向へのカーソル表示２１の移動量が信号波形Ｗ１，Ｗ２の表示倍率に連動して変化する構成および処理方法を採用した場合には、ドラッグ操作における「第２の操作成分」の向きおよび大きさに応じて信号波形Ｗ１，Ｗ２が時間軸方向に沿って拡大表示されたときに、ポインティングデバイスの操作量当りの波形表示画面２０内における時間軸方向へのカーソル表示２１の移動量が増加することとなる。
【００５８】
このような構成および処理方法では、信号波形Ｗ１，Ｗ２が拡大表示されることで交差位置Ｐｘの特定が容易となるものの、交差位置Ｐｘを容易に特定できる状態（拡大表示されている状態）において時間軸方向に沿って僅かにドラッグしただけでカーソル表示２１が時間軸方向に大きく移動してしまう。このため、交差位置Ｐｘにカーソル表示２１を合わせるのが困難となるおそれがある。
【００５９】
これに対して、ドラッグ操作の開始から終了まで、本例の波形表示装置２（プログラムデータＤｐ）では、交差位置Ｐｘを容易に特定できる状態（拡大表示されている状態）においても、時間軸方向へのポインティングデバイスの操作量当りの波形表示画面２０内における時間軸方向へのカーソル表示２１の移動量がドラッグ操作を開始した時点と同じ移動量で一定に維持されるため、時間軸方向に僅かにドラッグしたときには、カーソル表示２１が時間軸方向に僅かに移動し、時間軸方向に大きくドラッグしたときには、カーソル表示２１が時間軸方向に大きく移動する。これにより、交差位置Ｐｘにカーソル表示２１を容易に合わせることが可能となっている。
【００６０】
なお、カーソル表示２１上の任意の一点を始点とするドラッグ操作が行なわれたときに、そのドラッグ操作における「第２の操作成分」の向きおよび大きさに応じて信号波形Ｗ１，Ｗ２の時間軸方向における表示倍率を変更する例について説明したが、上記の例と同様の矢印ＢＵの向きへのドラッグ操作を行ったときには、図８に示す波形表示画面２０の例のように、そのドラッグ操作における「第２の操作成分」の向きおよび大きさに応じて信号波形Ｗ１，Ｗ２の時間軸方向および信号レベル軸方向の両方向における表示倍率を変更する構成および処理方法を採用することもできる。
【００６１】
このカーソル表示２１上の任意の一点からのドラッグ操作時における信号波形Ｗ１，Ｗ２等の表示倍率の変更については、「時間軸方向（第１の方向）の表示倍率だけを変更する」、および「時間軸方向（第１の方向）および信号レベル軸方向（第２の方向）の両方向の表示倍率を変更する」のいずれかを予め選択しておくことができる。
【００６２】
一方、信号波形Ｗ１，Ｗ２の交差位置Ｐｘをカーソル表示２１によって指定した状態とする上記の操作例とは異なり、図９に示す信号波形Ｗ３における立上り位置を「特異点」として、その「特異点」の測定時刻（経過時間）を特定したいときには、図１０〜１２に示す立上り位置Ｐｕにカーソル表示２１を合わせる必要がある。しかしながら、図９に示す波形表示画面２０では、信号波形Ｗ３の表示倍率が大き過ぎて立上り位置Ｐｕが非表示となっている。したがって、信号波形Ｗ３等の表示倍率が大きいことで立上り位置Ｐｕ等の「特異点」が非表示となっているときには、まず、カーソル表示２１上の任意の一点を始点とする矢印ＢＤの向きへのドラッグ操作を開始する。
【００６３】
この際に、処理部１４は、矢印ＢＤの向きへのドラッグ操作における「第２の操作成分」の向きおよび大きさに応じて、図１０に示すように、信号波形Ｗ３を時間軸方向に沿って縮小する。これにより、信号波形Ｗ３における立上り位置Ｐｕが波形表示画面２０内に表示された状態となり、立上り位置Ｐｕを視認することが可能となる。なお、矢印ＢＤの向きへのドラッグ操作には「第１の操作成分」が存在しないため、処理部１４は、カーソル表示２１を移動させることなく、その表示位置を保持する。
【００６４】
また、信号波形Ｗ３上の立上り位置Ｐｕを特定することができる表示倍率まで縮小された状態となったときには、特定した立上り位置Ｐｕに向けてカーソル表示２１を移動させる。具体的には、同図に示す例では、立上り位置Ｐｕに対してカーソル表示２１が右側に位置した状態のため、上記の矢印ＢＤの向きへのドラッグ操作に続いて、タッパネル（操作部１２）から指を離すことなく、矢印ＡＬの向きにドラッグ操作を行う。この際に、処理部１４は、矢印ＡＬの向きへのドラッグ操作における「第１の操作成分」の向きおよび大きさに応じて、信号波形Ｗ３に対してカーソル表示２１を時間軸方向に沿って矢印ＡＬの向きに移動させる。
【００６５】
これにより、図１１に示すように、立上り位置Ｐｕにカーソル表示２１を重ねた状態とすることができ、カーソル表示２１によって信号波形Ｗ３の立上り位置Ｐｕが指定された状態となる。したがって、カーソル表示２１による立上り位置Ｐｕの指定が完了したと判断した利用者は、ドラッグ操作を終了し、タッチパネルから指を離す。この際に、処理部１４は、図１２に示すように、カーソル表示２１によって立上り位置Ｐｕが指定された状態を維持しつつ、上記のドラッグ操作の開始以前の表示倍率で信号波形Ｗ３を表示させる。以上により、信号波形Ｗ３における立上り位置Ｐｕをカーソル表示２１によって指定する作業が完了し、信号波形Ｗ３における立上り位置Ｐｕの測定値や測定時刻（経過時間）が信号波形Ｗ３と共に波形表示画面２０に表示される（図示せず）。
【００６６】
この場合、本例の波形表示装置２（プログラムデータＤｐ）の構成および処理方法とは異なり、ドラッグ操作中に、時間軸方向へのポインティングデバイスの操作量当りの波形表示画面２０内における時間軸方向へのカーソル表示２１の移動量が信号波形Ｗ３の表示倍率に連動して変化する構成および処理方法を採用した場合には、ドラッグ操作における「第２の操作成分」の向きおよび大きさに応じて信号波形Ｗ３が時間軸方向に沿って縮小表示されたときに、ポインティングデバイスの操作量当りの波形表示画面２０内における時間軸方向へのカーソル表示２１の移動量が減少することとなる。
【００６７】
このような構成および処理方法では、信号波形Ｗ３が縮小表示されることで立上り位置Ｐｕの特定できる状態となるものの、特定できた立上り位置Ｐｕまでカーソル表示２１を移動させるために非常に長いドラッグ操作を行ったり、複数回のドラッグ操作を行ったりする必要が生じる。このため、立上り位置Ｐｕにカーソル表示２１を合わせるのに長い時間を要するおそれがある。
【００６８】
これに対して、本例の波形表示装置２（プログラムデータＤｐ）では、前述したように、ドラッグ操作の開始から終了まで、本例の波形表示装置２（プログラムデータＤｐ）では、信号波形Ｗ３等の表示倍率によらず、時間軸方向へのポインティングデバイスの操作量当りの波形表示画面２０内における時間軸方向へのカーソル表示２１の移動量がドラッグ操作を開始した時点と同じ移動量で一定に維持される。このため、立上り位置Ｐｕまでカーソル表示２１を容易に移動させることが可能となっている。
【００６９】
一方、本例の波形表示装置２（プログラムデータＤｐ）では、信号波形Ｗ１，Ｗ２や信号波形Ｗ３における時間軸方向における任意の一点を指定するための指標として機能するカーソル表示２１に代えて、図１３に示すように、例えば、信号波形Ｗ１，Ｗ２における信号レベル軸方向における任意の部位（「任意のパラメータ値」の他の一例である「任意の測定値の部位」）を指定するための指標として機能するカーソル表示２１ａ（信号レベル軸カーソル表示）を信号波形Ｗ１，Ｗ２と共に波形表示画面２０に表示させることができる。
【００７０】
この場合、図１３、および後に参照する図１５，１６に示す波形表示画面２０では、「第１のパラメータ」の他の一例である「信号レベル」を「第１の方向」の他の一例である矢印ＢＵ，ＢＤの方向に対応させ、かつ「第２のパラメータ」の一例である「測定時刻（経過時間）」を「第１の方向」と交差する（直交する）「第２の方向」の他の一例である矢印ＡＬ，ＡＲの方向に対応させて、測定値データＤｗに基づく信号波形Ｗ１，Ｗ２などを表示させることができる画面構成が採用されている。なお、図１３では、波形表示画面２０にカーソル表示２１ａを表示させた直後において、波形表示画面２０における信号レベル軸方向（矢印ＢＵ，ＢＤの方向）の中心部（信号レベル値が「０」の部位）にカーソル表示２１ａが表示された状態を図示している。
【００７１】
この場合、例えば、同図に示す信号波形Ｗ１における最大値の値および測定時刻（経過時間）を特定したいときには、「特異点」としてのピーク位置Ｐｐにカーソル表示２１ａを合わせる必要がある。しかしながら、同図に示す波形表示画面２０の例のように、短い周期で信号レベルが大きく変動する信号波形Ｗ１，Ｗ２などを波形表示画面２０に表示させたときに、その時点において設定されている表示倍率によっては、信号波形Ｗ１，Ｗ２の線が画面内に密集した状態となり、カーソル表示２１ａを合わせるべき「特異点（本例では、ピーク位置Ｐｐ）」を特定すること自体が困難となる。
【００７２】
したがって、前述した交差位置Ｐｘにカーソル表示２１を合わせるドラッグ操作時と同様にして、操作部１２（タッチパネル）によってカーソル表示２１ａ上の任意の一点を始点とするドラッグ操作を行う。
【００７３】
この場合、本例の波形表示装置２（プログラムデータＤｐ）では、例えば、図１４に示すように、カーソル表示２１ａ上の位置Ｐ０を始点とする位置Ｐ２までの矢印Ｃの向きへのドラッグ操作が行なわれたときに、処理部１４が、矢印Ｃの向きへのドラッグ操作における「第１の方向」としての信号レベル軸方向（矢印ＢＵ，ＢＤの方向）に沿った操作成分Ｂ０２（「第１の操作成分」の一例）の向きおよび大きさを特定し、特定した向きおよび大きさに応じて信号波形Ｗ１，Ｗ２に対してカーソル表示２１ａを信号レベル軸方向に移動させる。
【００７４】
具体的には、操作成分Ｂ０２が矢印ＢＵの向きの成分のときには、信号波形Ｗ１，Ｗ２に対してカーソル表示２１ａを矢印ＢＵの向きに移動させると共に、操作成分Ｂ０２が矢印ＢＤの成分のときには、信号波形Ｗ１，Ｗ２に対してカーソル表示２１ａを矢印ＢＤの向きに移動させる。また、操作成分Ｂ０２の大きさが小さいときには、信号波形Ｗ１，Ｗ２に対してカーソル表示２１ａを小さく移動させると共に、操作成分Ｂ０２の大きさが大きいときには、信号波形Ｗ１，Ｗ２に対してカーソル表示２１ａを大きく移動させる。なお、同図に示す矢印Ｃの向きへのドラッグ操作の例では、操作成分Ｂ０２が矢印ＢＵの向きの操作成分のため、処理部１４は、操作成分Ｂ０２の大きさに応じて移動量だけ信号波形Ｗ１，Ｗ２に対してカーソル表示２１ａを矢印ＢＵの向きに移動させる。
【００７５】
また、処理部１４は、カーソル表示２１ａの移動と並行して、信号波形Ｗ１においてカーソル表示２１ａによって指定されている一点、および信号波形Ｗ２においてカーソル表示２１ａによって指定されている一点を波形表示画面２０内にそれぞれ表示させた状態を維持しつつ、矢印Ｃの向きへのドラッグ操作における「第２の方向」としての時間軸方向（矢印ＡＬ，ＡＲの方向）に沿った操作成分Ａ０２（「第２の操作成分」の一例）の向きおよび大きさを特定し、特定した向きおよび大きさに応じて信号波形Ｗ１，Ｗ２の信号レベル軸方向における表示倍率、および時間軸方向における表示倍率をそれぞれ変更する。
【００７６】
具体的には、操作成分Ａ０２が矢印ＡＲの向きの成分のときには、信号波形Ｗ１，Ｗ２を信号レベル軸方向および時間軸方向に沿って拡大（大きな表示倍率に変更）すると共に、操作成分Ａ０２が矢印ＡＬの向きの成分のときには、信号波形Ｗ１，Ｗ２を信号レベル軸方向および時間軸方向に沿って縮小（小さな表示倍率に変更）する。また、操作成分Ａ０２の大きさが小さいときには、信号波形Ｗ１，Ｗ２の表示倍率の変更量を小さくし、操作成分Ａ０２の大きさが大きいときには、信号波形Ｗ１，Ｗ２の表示倍率の変更量を大きくする。なお、同図に示す矢印Ｃの向きへのドラッグ操作の例では、操作成分Ａ０２が拡大方向に対応する矢印ＡＲの向きの操作成分のため、処理部１４は、操作成分Ａ０２の大きさに応じた変更量で信号波形Ｗ１，Ｗ２を信号レベル軸方向および時間軸方向の両方向に沿って拡大する。
【００７７】
この場合、本例の波形表示装置２（プログラムデータＤｐ）では、上記のようなドラッグ操作が行なわれているときにも、「第１の操作成分」の大きさと「第２の操作成分」の大きさとの「成分比」が「予め規定されたしきい値」を下回っているときに信号波形Ｗ１，Ｗ２の表示倍率を変更せずに、「成分比」が「しきい値」以上のときに「第２の操作成分」の向きおよび大きさに応じて信号波形Ｗ１，Ｗ２の表示倍率を変更する構成および処理方法が採用されている。具体的には、一例として、上記の「成分比」が「１／３」を下回っているとき、すなわち、「第２の操作成分」の大きさが「第１の操作成分」の大きさの１／３を下回っているときには信号波形Ｗ１，Ｗ２の表示倍率を維持すると共に、「成分比」が「１／３」以上のとき、すなわち、「第２の操作成分」の大きさが「第１の操作成分」の大きさの１／３以上のときには信号波形Ｗ１，Ｗ２の表示倍率を変更する構成および処理方法が採用されている。
【００７８】
したがって、例えば、図１３に示す波形表示画面２０の例のように信号波形Ｗ１，Ｗ２の線が密集した状態で、カーソル表示２１ａを合わせるべきピーク位置Ｐｐの特定が困難なときには、まず、カーソル表示２１ａ上の任意の一点を始点とする矢印Ｃの向きへのドラッグ操作を開始する。
【００７９】
この際に、処理部１４は、矢印Ｃの向きへのドラッグ操作における「第１の操作成分」の向きおよび大きさに応じて、信号波形Ｗ１，Ｗ２に対してカーソル表示２１ａを信号レベル軸方向に沿って矢印ＢＵの向きに移動させると共に、矢印Ｃの向きへのドラッグ操作における「第２の操作成分」の向きおよび大きさに応じて、信号波形Ｗ１，Ｗ２を信号レベル軸方向および時間軸方向の両方向に沿って拡大する。これにより、図１５に示すように、図１３に示す波形表示画面２０の状態よりも、信号波形Ｗ１，Ｗ２におけるピーク位置Ｐｐを容易に特定することが可能な状態になると共に、カーソル表示２１ａがピーク位置Ｐｐの近傍まで移動した状態となる。
【００８０】
次いで、拡大表示された信号波形Ｗ１のピーク位置Ｐｐに向けてドラッグ操作を継続する。これにより、ピーク位置Ｐｐにカーソル表示２１ａが重なり、カーソル表示２１ａによって信号波形Ｗ１のピーク位置Ｐｐが指定された状態となる。したがって、カーソル表示２１ａによるピーク位置Ｐｐの指定が完了したと判断した利用者は、ドラッグ操作を終了し、タッチパネルから指を離す。この際に、処理部１４は、図１６に示すように、カーソル表示２１ａによってピーク位置Ｐｐが指定された状態を維持しつつ、上記のドラッグ操作の開始以前の表示倍率で信号波形Ｗ１，Ｗ２を表示させる。以上により、信号波形Ｗ１，Ｗ２におけるピーク位置Ｐｐをカーソル表示２１ａによって指定する作業が完了し、信号波形Ｗ１，Ｗ２におけるピーク位置Ｐｐの測定値や測定時刻（経過時間）が信号波形Ｗ１，Ｗ２と共に波形表示画面２０に表示される。
【００８１】
なお、カーソル表示２１ａ上の任意の一点を始点とするドラッグ操作が行なわれたときに、そのドラッグ操作における「第２の操作成分」の向きおよび大きさに応じて信号波形Ｗ１，Ｗ２の信号レベル軸方向および時間軸方向の両方向における表示倍率を変更する例について説明したが、上記の例と同様の矢印Ｃの向きへのドラッグ操作を行ったときに、そのドラッグ操作における「第２の操作成分」の向きおよび大きさに応じて信号波形Ｗ１，Ｗ２の信号レベル軸方向における表示倍率を変更するように設定しておくこともできる。
【００８２】
このように、この波形表示装置２では、処理部１４が、信号波形Ｗ１，Ｗ２・・およびカーソル表示２１，２１ａを波形表示画面２０内に表示させている状態において、ポインティングデバイス（本例では、操作部１２のタッチパネル）によってカーソル表示２１，２１ａ上の任意の一点を始点とするドラッグ操作が行なわれたときに、ドラッグ操作における「第１の方向」に沿った「第１の操作成分」の向きおよび大きさに応じて一方（本例では、信号波形Ｗ１，Ｗ２・・）に対して他方（本例では、カーソル表示２１，２１ａ）を「第１の方向」に沿って移動させると共に、信号波形Ｗ１，Ｗ２・・においてカーソル表示２１，２１ａによって指定されている「任意のパラメータ値の部位」を波形表示画面２０内に表示させた状態を維持しつつドラッグ操作における「第２の方向」に沿った「第２の操作成分」の向きおよび大きさに応じて信号波形Ｗ１，Ｗ２・・の表示倍率を変更する。また、このプログラムデータＤｐでは、上記の処理を波形表示装置２の処理部１４に実行させる。
【００８３】
したがって、この波形表示装置２およびプログラムデータＤｐによれば、波形表示画面２０に表示されている信号波形Ｗ１，Ｗ２・・における「任意のパラメータ値の部位（特異点）」の視認が困難なときや、信号波形Ｗ１，Ｗ２・・の表示倍率が大き過ぎて波形表示画面２０内に「特異点」が表示されていないときなどに、そのような「特異点」に向けてのカーソル表示２１，２１ａの移動と、信号波形Ｗ１，Ｗ２・・の表示倍率を変更する操作とを１つのドラッグ操作によって同時に行うことができる。したがって、信号波形Ｗ１，Ｗ２・・における「任意のパラメータ値の部位（特異点）」にカーソル表示２１，２１ａを短時間で容易に表示させることができる。
【００８４】
また、この波形表示装置２およびプログラムデータＤｐによれば、ドラッグ操作の開始から終了まで「第１の方向」へのポインティングデバイスの操作量当りの波形表示画面２０内における「第１の方向」へのカーソル表示２１，２１ａの移動量を一定に維持することにより、信号波形Ｗ１，Ｗ２・・の表示倍率が大きいときほどポインティングデバイスの操作量当りのカーソル表示２１，２１ａの移動量が増加したり、信号波形Ｗ１，Ｗ２・・の表示倍率が小さいときほどポインティングデバイスの操作量当りのカーソル表示２１，２１ａの移動量が減少したりする構成および処理方法とは異なり、信号波形Ｗ１，Ｗ２・・の表示倍率とは無関係に、カーソル表示２１，２１ａを移動させたい分だけポインティングデバイスを操作することでカーソル表示２１，２１ａを「任意のパラメータ値の部位（特異点）」に確実かつ容易に移動させることができる。これにより、信号波形Ｗ１，Ｗ２・・が拡大表示された状態でカーソル表示２１，２１ａの位置を微調整するのが困難な状態となったり、信号波形Ｗ１，Ｗ２・・が縮小表示された状態でカーソル表示２１，２１ａをある程度の距離に亘って移動させるためにポインティングデバイスの操作量（またはドラッグ操作の回数）を増加させたりすることなく、「任意のパラメータ値の部位（特異点）」にカーソル表示２１，２１ａを確実に移動させることができる。
【００８５】
さらに、この波形表示装置２およびプログラムデータＤｐによれば、ドラッグ操作の終了時に、ドラッグ操作の開始以前の表示倍率で信号波形Ｗ１，Ｗ２・・を表示させることにより、「任意のパラメータ値の部位（特異点）」にカーソル表示２１，２１ａを合わせる際に信号波形Ｗ１，Ｗ２・・の表示倍率を変更したとしても、表示倍率を元に戻す操作を行うことなく、操作前の表示倍率に復元することができる。
【００８６】
また、この波形表示装置２およびプログラムデータＤｐによれば、「第１の操作成分」の大きさと「第２の操作成分」の大きさとの成分比が予め規定されたしきい値（本例では、「１／３」）を下回っているときに信号波形Ｗ１，Ｗ２・・の表示倍率を変更せずに、成分比がしきい値以上のときに「第２の操作成分」の向きおよび大きさに応じて信号波形Ｗ１，Ｗ２・・の表示倍率を変更することにより、信号波形Ｗ１，Ｗ２・・の表示倍率の変更だけを行うためのドラッグ操作時に「第１の操作成分」が僅かに存在する斜め方向へのドラッグ操作を行っても、カーソル表示２１，２１ａを移動させることなく、信号波形Ｗ１，Ｗ２・・の表示倍率を変更することができる。
【００８７】
なお、「波形表示装置」の構成、および「波形表示用プログラム」の処理手順については、上記の波形表示装置２の構成、および波形表示用プログラムによる処理手順の例に限定されない。例えば、信号波形Ｗ１，Ｗ２・・における「特異点」をカーソル表示２１，２１ａによって指定された状態とするために、信号波形Ｗ１，Ｗ２・・に対してカーソル表示２１，２１ａを移動させる構成および処理方法を例に挙げて説明したが、「信号波形および指定表示のいずれか一方」としてのカーソル表示２１，２１ａの表示位置を固定しておき、このカーソル表示２１，２１ａに対して、「信号波形および指定表示の他方」としての信号波形Ｗ１，Ｗ２を移動させる構成および処理方法を採用することもできる。
【００８８】
また、ドラッグ操作の開始から終了まで「第１の方向」へのポインティングデバイスの操作量当りの波形表示画面２０内における「第１の方向」へのカーソル表示２１，２１ａの移動量を一定に維持する構成および処理方法を例に挙げて説明したが、「第１の方向」へのポインティングデバイスの操作量当りの「波形表示画面」内における「第１の方向」への「指定表示」の移動量を「信号波形の表示倍率」に対応させて、「表示倍率」が大きいときほど「操作量当りの移動量」を増加させ、「表示倍率」が小さいときほど「操作量当りの移動量」を減少させる構成および処理方法を採用することもできる。
【００８９】
さらに、線状形（ライン状）のカーソル表示２１，２１ａを「指定表示」として信号波形Ｗと共に表示させる構成および方法を例に挙げて説明したが、「指定表示」の形状はこれに限定されず、点状形（丸状形）の表示や、各種記号および図形の形状の表示を「指定表示」として表示させる構成および方法を採用することもできる（図示せず）。また、ドラッグ操作の終了時に、ドラッグ操作の開始以前の表示倍率で信号波形Ｗ１，Ｗ２・・を表示させる構成および処理方法を例に挙げて説明したが、ドラッグ操作の終了時にその時点における表示倍率を維持する構成および処理方法を採用することもできる。
【００９０】
加えて、測定値データＤｗを生成する測定装置１と、測定値データＤｗに基づく信号波形Ｗ１，Ｗ２・・の表示を行う波形表示装置２とを別体に構成した例について説明したが、「波形データ」の生成、および「波形データ」に基づく「信号波形」の表示を単一の装置で実行可能に構成することもできる。具体的には、図１７に示す測定装置２００は、「波形表示装置」の他の一例であって、測定部２０１、操作部２０２、表示部２０３、処理部２０４および記憶部２０５を備え、測定対象についての測定処理、および測定結果に基づく信号波形の表示処理を単独で実行することができるように構成されている。なお、この測定装置２００に関して前述した測定システム１００と同様の要素については、同一の符号を付して重複する説明を省略する。
【００９１】
この場合、測定部２０１は、前述した測定システム１００における測定装置１と同様に予め規定された被測定量を測定して測定値データＤｗを生成する測定処理を実行可能に構成されている。また、操作部２０２は、測定装置２００を動作させるための各種の操作スイッチを備えると共に、前述した測定システム１００における波形表示装置２の操作部１２と同様にして「移動の操作および変更の操作が可能なポインティングデバイス」の一例であるタッチパネル等を備えて構成されている。さらに、表示部２０３は、測定システム１００における波形表示装置２の表示部１３と同様にして、処理部２０４の制御に従って波形表示画面２０などの各種表示画面を表示する。
【００９２】
また、処理部２０４は、「処理部」の他の一例であって、測定装置２００を総括的に制御する。この処理部２０４は、前述した測定システム１００における波形表示装置２の処理部１４と同様にして、測定部２０１から送信された測定値データＤｗを記憶部２０５に記憶させると共に、波形表示画面２０を表示部２０３に表示させ、測定値データＤｗに基づく信号波形Ｗや、信号波形Ｗ上の任意のパラメータ値の部位を指定するカーソル表示２１，２１ａを波形表示画面２０内に表示させる。さらに記憶部２０５は、前述した測定システム１００における波形表示装置２の記憶部１５と同様にして、測定部２０１から送信された測定値データＤｗなどを記憶する。
【００９３】
この測定装置２００では、測定システム１００における測定装置１による各処理および波形表示装置２による各処理が前述した例と同様の手順で実行される。したがって、この測定装置２００によれば、測定システム１００と同様にして、波形表示画面２０に表示されている信号波形Ｗ１，Ｗ２・・における「任意のパラメータ値の部位（特異点）」の視認が困難なときや、信号波形Ｗ１，Ｗ２・・の表示倍率が大き過ぎて波形表示画面２０内に「特異点」が表示されていないときなどに、そのような「特異点」に向けてのカーソル表示２１，２１ａの移動と、信号波形Ｗ１，Ｗ２・・の表示倍率を変更する操作とを１つのドラッグ操作によって同時に行うことができる。したがって、信号波形Ｗ１，Ｗ２・・における「任意のパラメータ値の部位（特異点）」にカーソル表示２１，２１ａを短時間で容易に表示させることができる。
【符号の説明】
【００９４】
１００  測定システム
１，２００  測定装置
２  波形表示装置
１１  通信部
１２，２０２  操作部
１３，２０３  表示部
１４，２０４  処理部
１５，２０５  記憶部
２０  波形表示画面
２１，２１ａ  カーソル表示
２０１  測定部
Ａ０１，Ａ０２  操作成分
Ｂ０１，Ｂ０２  操作成分
Ｄｐ  プログラムデータ
Ｄｗ  測定値データ
Ｐ０〜Ｐ２  位置
Ｐｐ  ピーク位置
Ｐｕ  立上り位置
Ｐｘ  交差位置
Ｗ１〜Ｗ３  信号波形
【図１】
2019039691.tif 000003
【図２】
2019039691.tif 000004
【図３】
2019039691.tif 000005
【図４】
2019039691.tif 000006
【図５】
2019039691.tif 000007
【図６】
2019039691.tif 000008
【図７】
2019039691.tif 000009
【図８】
2019039691.tif 000010
【図９】
2019039691.tif 000011
【図１０】
2019039691.tif 000012
【図１１】
2019039691.tif 000013
【図１２】
2019039691.tif 000014
【図１３】
2019039691.tif 000015
【図１４】
2019039691.tif 000016
【図１５】
2019039691.tif 000017
【図１６】
2019039691.tif 000018
【図１７】
2019039691.tif 000019